(57)【要約】【課題】廃棄物貯蔵装置とその廃棄物管理方法及びシステムの提供。【解決手段】廃棄物貯蔵装置２は、貯蔵容器２０、識別パーツ２１を備え、貯蔵装置２内には廃棄物２００を収容し、識別パーツ２１は貯蔵容器２０上に設置し、識別パーツ２１上には廃棄物２００に関する識別情報を記録し、廃棄物２００管理方法とシステム３は、貯蔵容器２０内の廃棄物２００の特性を測定し、廃棄物２００特性に関する識別情報を貯蔵容器２０上の識別パーツ２１内に書込み、或いは廃棄物２００特性に関する識別情報を備える識別パーツ２１を形成し、識別パーツ２１を貯蔵容器２０上に設置する。【選択図】図１
2011123886.tif 000002
【特許請求の範囲】
【請求項１】
廃棄物貯蔵装置は、貯蔵容器、識別パーツを備え、
前記貯蔵容器内には、廃棄物を収容し、
前記識別パーツは、前記貯蔵容器上に設置し、前記識別パーツ上には、前記廃棄物に関する識別情報を記録することを特徴とする廃棄物貯蔵装置。
【請求項２】
前記廃棄物は、廃棄液体、或いは廃棄固体で、
前記廃棄液体は、廃棄油、或いは廃棄有機溶剤で、
前記廃棄油は、廃棄食用油、廃棄車用オイル或いは廃棄工業用オイルであることを特徴とする請求項１に記載の廃棄物貯蔵装置。
【請求項３】
前記識別パーツは、電子タグ、或いは情報タグであることを特徴とする請求項１に記載の廃棄物貯蔵装置。
【請求項４】
廃棄物管理システムは、廃棄物貯蔵装置、検査装置、識別情報発生装置を備え、
前記廃棄物貯蔵装置は、貯蔵容器、識別パーツを備え、
前記貯蔵容器内には、廃棄物を収容し、
前記識別パーツは、前記貯蔵容器上に設置し、前記識別パーツ上には、前記廃棄物に関する識別情報を記録し、前記識別パーツは、前記廃棄物品質に関する品質情報を含み、
前記検査装置は、前記廃棄物の品質を測定し、対応する品質情報を生じ、
前記識別情報発生装置は、前記検査装置と接続し、前記識別情報発生装置は、前記識別パーツ上に、前記品質情報を含む識別情報を形成することを特徴とする廃棄物管理システム。
【請求項５】
前記廃棄物は、廃棄液体、或いは廃棄固体で、
前記廃棄液体は、廃棄油、或いは廃棄有機溶剤で、
前記廃棄油は、廃棄食用油、廃棄車用オイル或いは廃棄工業用オイルであることを特徴とする請求項４に記載の廃棄物管理システム。
【請求項６】
前記識別パーツは、電子タグ、或いは情報タグであることを特徴とする請求項４に記載の廃棄物管理システム。
【請求項７】
前記識別パーツが、電子タグである場合には、前記識別情報発生装置は、前記識別情報を、RFIDタグ内に直接書き込み、
或いは前記識別パーツは、前記識別情報発生装置が直接形成し、しかも形成時には前記識別情報を前記識別パーツ上にそのまま形成し、その後に前記貯蔵容器上に設置することを特徴とする請求項６に記載の廃棄物管理システム。
【請求項８】
前記廃棄物管理システムはさらに、無線受信/発信ユニット、表示ユニットを備え、
前記無線受信/発信ユニットは、前記識別情報を、リモートエンドのコントロールセンター内のデータサーバーに伝送し、
前記表示ユニットは、測定結果を表示することができる携帯式検査装置であることを特徴とする請求項４に記載の廃棄物管理システム。
【発明の詳細な説明】
【技術分野】
【０００１】
本発明は管理システム及び方法に関し、特に廃棄物貯蔵装置とその廃棄物管理方法及びシステムに関する。
【背景技術】
【０００２】
化石燃料の埋蔵量は日に日に減少し、価格の高騰を招いており、２００８年６月には、１バレル１４０ドルと、最高値を更新した。
これまで、エネルギー代用品は、生産コストが高かったため、石油というこの主要エネルギーの地位を揺るがすことは難しかった。
しかし、原油価格の上昇と、代替エネルギー技術の進歩に従い、両者間のコストの差は徐々に縮小しており、代替エネルギーが頭角を現し始めている。
【０００３】
廃油は、鉱物油であろうと、動植物油であろうと、加工精錬すれば、エンジン、燃焼器、ボイラーで使用可能な燃料、或いは再利用可能な原料となる典型的な「グリーンエネルギー」である。
グリーンエネルギーを発展させることで、経済の持続的な発展を牽引できる他、省エネ、二酸化炭素削減の効果もあり、環境に対する付加を低下させることができ、また同時に、空気汚染解消と廃棄物リサイクルに、大きく貢献することができる。
【０００４】
現在のところ、廃油回収の多くは、さまざまな地点にある回収用バケツ(容量１８リットルのバケツなど)に廃油を入れ、輸送或いは積み下ろしの便のため、それをドラム缶(容量１００リットルのドラム缶など)に集める方式で行われている。
ドラム缶を工場に運ぶと、中の廃油をさらに大きな貯油槽(容量１００，０００リットルの油槽など)に移し換える。
このやり方は、便利ではあるが、さまざまな地点の、性質が異なる廃油は、それぞれ違った特質を持っているため、交じり合った結果、乳化、酸価の拡大、及び分子間の重合効果によりゲル化して汚泥が生じるなど、廃油品質の劣化を加速してしまう。
これでは、良質の廃油も、品質が劣る廃油と一緒になり、共に劣化してしまい、劣化後すると、販売価格が低くなり、さらに利用率も下がらざるを得ない。
【０００５】
この他、さまざまな地点のいろいろな出所の廃油が混在することで、各ソースの油の品質を追跡することができず、後続の廃油品質の検査分析も困難になっている。
なぜなら、廃油が大型のドラム缶(２００リットル)或いは大型の油槽(１００，０００リットル)内に入ると、どこからサンプルを取っても、サンプル取得時の廃油の量があまりにも莫大であるため、取り出した微量の廃油(０．００５リットルあれば良い)は、ドラム缶全体、或いは油槽全体の廃油の性質を代表することができないからである。
そのため、多くの誤解と不便がしばしば起きている。
よって、これらさまざまな出所の大量の廃油を、いかにして効果的に管理、追跡、分類するかは、業界関係者にとって、今最も重要な課題である。
本発明は、従来の廃棄物貯蔵装置とその管理方法及びシステムの上記した欠点に鑑みてなされたものである。
【発明の概要】
【発明が解決しようとする課題】
【０００６】
本発明が解決しようとする課題は、廃棄物貯蔵装置とその廃棄物管理方法及びシステムを提供することである。
【課題を解決するための手段】
【０００７】
上記課題を解決するため、本発明は下記の廃棄物貯蔵装置とその廃棄物管理方法及びシステムを提供する。
廃棄物貯蔵装置とその廃棄物管理方法は、廃棄物を収容できる少なくとも貯蔵容器、書込/読取可能な識別パーツを備え、
該識別パーツは、該貯蔵容器上に予め設置でき、または印刷或いは書き込むことで形成でき、
該識別パーツには、該廃棄物に関する識別情報を記録し、
該識別パーツ内に記録した情報を通して、物流、金の流れ、情報の流れを統合して情報管理を達成し、これにより廃棄物回収業者は、廃棄物の購入、販売、交換、新鮮なオイル製品の売買サービスを簡単に行うことができ、さらに廃棄物回収業者は、物流(各廃棄物貯蔵容器内に貯蔵する廃棄物の出所追跡と品質検査数値、廃棄物が廃棄物提供者から地域の営業所を経て工場に至るまで、及び新鮮なオイル製品が、生産工場から、地域の営業所を経て廃油提供者に至るまでの双方向物流管理)、金の流れ(廃棄物の販売、交換、或いは新鮮なオイル製品売買などの取引行為)、情報の流れ(再生工場、各地域営業所、銀行、廃棄物、及び廃棄物提供業者の情報の状態)の管理作業を効果的に掌握することができ、
廃棄物貯蔵装置とその廃棄物管理方法は、無線識別技術を携帯電話端末、ハンドヘルドPDA、ノート型コンピューター上に利用することができ、書込/読取、印刷、情報の発信が可能で、無線LAN、及びＧＰＳを通して綿密に通信網を構成し、
これにより、廃棄物購入業者は、廃棄物の性質をリアルタイムで動態情報(日付、会員番号、通し番号、廃油重量、容量、水分、酸価、ヨウ素価など)を掌握でき、
こうして、廃棄物購入業者の経営センターは、廃棄物回収に対して、情報を厳格に管理でき、廃棄物回収の弾力的な調整、工場での効果的な生産、各種コストの引き下げなどの目的を達成することができ、
廃棄物貯蔵装置とその廃棄物管理方法は、廃棄物の性質を検査し、検査で得られた廃棄物の品質情報を、識別パーツ中に記録し、これを廃棄物回収時の身分識別、出所追跡、減価検収などの依拠とし、
該廃棄物貯蔵装置は、貯蔵容器、識別パーツを備え、
該貯蔵装置内には、廃棄物を収容し、
該識別パーツは、該貯蔵容器上に設置し、該識別パーツ上には、該廃棄物に関する識別情報を記録し、
廃棄物管理方法は、以下のステップを含み、
該貯蔵容器を提供し、該貯蔵容器内には、廃棄物を貯蔵し、該貯蔵容器上には、該識別パーツを備え、
該廃棄物の特徴を測定し、品質情報を得て、識別情報を構築し、
該識別情報は、品質情報を含み、該識別パーツは、該識別情報を記録し、
廃棄物管理方法はまた、以下のステップを含み、
該貯蔵容器を提供し、該貯蔵容器内には、廃棄物を貯蔵し、該廃棄物の品質と特徴を測定し、識別情報を構築し、
該識別情報を備える識別パーツを形成し、
該識別パーツを該貯蔵容器上に設置し、
廃棄物管理システムは、廃棄物貯蔵装置、検査装置、識別情報発生装置を備え、
該廃棄物貯蔵装置は、貯蔵容器、識別パーツを備え、
該貯蔵容器内には、廃棄物を収容し、
該識別パーツは、該貯蔵容器上に設置し、該識別パーツ上には、該廃棄物に関する識別情報を記録し、該識別パーツは、該廃棄物品質に関する品質情報を含み、
該検査装置は、該廃棄物の品質を測定し、対応する品質情報を生じ、
該識別情報発生装置は、該検査装置と接続し、該識別情報発生装置は、該識別パーツ上に、該品質情報を含む識別情報を形成する。
【発明の効果】
【０００８】
本発明の廃棄物貯蔵装置とその廃棄物管理方法及びシステムにより、廃棄物購入業者の経営センターは、廃棄物回収に対して、情報を厳格に管理でき、廃棄物回収の弾力的な調整、工場での効果的な生産、各種コストの引き下げなどの目的を達成することができる。
【図面の簡単な説明】
【０００９】
【図１】本発明廃棄物貯蔵装置の表示図である。
【図２】本発明廃棄物管理方法プロセスの第一実施例のフローチャートである。
【図３】本発明廃棄物管理方法プロセスの第二実施例のフローチャートである。
【図４】本発明廃棄物管理システムの第一実施例の表示図である。
【図５】本発明廃棄物管理システムの第一実施例において、異なる検査装置の表示図である。
【図６】本発明廃棄物管理方法プロセスの第三実施例のフローチャートである。
【図７】本発明廃棄物管理方法プロセスの第四実施例のフローチャートである。
【図８】本発明廃棄物管理システムの第二実施例の表示図である。
【発明を実施するための形態】
【００１０】
以下に図面を参照しながら本発明を実施するための最良の形態について詳細に説明する。
【実施例】
【００１１】
本発明廃棄物貯蔵装置の表示図である図１に示すように、廃棄物貯蔵装置は、貯蔵容器２０、識別パーツ２１を備える。
貯蔵容器２０は、金属容器、或いは非金属容器である。
本実施例中では、貯蔵容器２０は、金属、或いは非金属製の円筒形容器であるが、容器の外形は、必要に応じて決めることができ、円筒形に制限するものではない。
【００１２】
貯蔵容器２０内には、廃棄物２００を収容する。
廃棄物２００は、廃棄液体、或いは廃棄固体である。
内、廃棄液体は、廃油、生ごみ、或いは廃棄有機溶剤などである。
廃油は、揚げ物、炒め物の過程で形成された廃油、或いは生ごみとしての廃油などの廃棄食用油で、または、廃棄車用オイル(ガソリン、或いはギアオイルなど)、或いは廃棄工業用オイルである。
さらに、廃油は、廃棄金具などの固体状態でもよい。
本実施例中では、廃棄物２００は、廃棄食用油である。
【００１３】
識別パーツ２１は、バーコードタグ、書き込みタグ、或いは上面に識別文字情報を備えるタグなどの非電子式の情報タグ、或いは記録を書込/読取可能なRFIDなどの電子タグなどである。
識別パーツ２１は、廃棄物２００及び貯蔵容器２０に関する情報を記録することができる。
廃棄物２００及び貯蔵容器２０に関する情報は、廃棄物２００の品質、廃棄物２００の出所、日付、廃棄物２００の提供者、廃棄物２００提供者の会員番号、回収地点、取引情報、或いは貯蔵容器２０のID情報(容器番号など)などであるが、これらに限定するものではない。
廃棄物２００の品質は、少なくとも廃棄物２００の体積、重量、或いは成分などの関連情報を含む。
例えば、本実施例中では、廃棄物２００は廃棄食用油であるため、識別パーツ２１は、廃油の重量、体積、含水比率、酸価、ヨウ素価、過酸化価、遊離脂肪酸価(FFA)などの廃棄物２００の品質に関する情報を含むが、これに限定するものではない。
【００１４】
本発明廃棄物管理方法プロセスの第一実施例のフローチャートである図２に示すように、管理方法４は、以下のステップを含む。
先ず、ステップ４０では、貯蔵容器２０を提供する。
貯蔵容器２０内には、廃棄物２００を貯蔵する。
貯蔵容器２０上には、識別パーツ２１を備える。
貯蔵容器２０、識別パーツ２１、廃棄物２００の特徴は、前記の通りであるため、ここでは再記述を行わない。
本実施例中では、識別パーツ２１は、保存能力を備えるRFIDタグで、予め貯蔵容器２０上に設置する。
【００１５】
続いて、ステップ４１を行い、廃棄物２００の特徴を測定し、品質情報を得る。
本ステップにおいて、廃棄物２００の特徴について、測定を行い、廃棄食用油の重量、体積、含水比率、酸価、ヨウ素価などの品質情報を得る。
ステップ４１の方式を実現するため、重量センサー、体積センサー、酸価センサー、ヨウ素価センサー、過酸化価センサー、遊離脂肪酸価(FFA)センサー、水分センサーなどの測定装置を利用し、貯蔵容器２０内の廃棄物２００(廃棄食用油)に対して測定を行うが、これに限定するものではない。
【００１６】
測定の後、ステップ４２を行い、識別情報を構築する。
識別情報は、品質情報を含む。
本ステップでは、測定装置が測定後に、対応する品質情報を生じる。
【００１７】
続いて、ステップ４３を行い、識別パーツ２１が識別情報を記録する。
本実施例の識別パーツ２１は、RFIDタグであるため、測定装置が測定後の情報は、書込/読取装置に伝送され、情報は識別パーツ２１内に書き込まれる。
一実施例中では、書込/読取装置は、PDA(personal digital assistant)、携帯電話、ノート型コンピューターと一つの装置に統合することができる。
【００１８】
最後に、ステップ４４を行い、識別情報を、リモートエンドのコントロールセンターに伝送する。
ステップ４４中では、識別情報は、識別パーツ２１内に記録する貯蔵容器２０のID情報、測定した廃棄食用油品質に関する情報、日付、回収場所、廃棄食用油の提供者番号或いは会員番号などの識別情報を含む。
【００１９】
伝送の方式は、無線、或いは有線伝送方式である。
無線伝送を例とすると、書込/読取装置、或いはPDA、携帯電話、或いはノート型コンピューターを統合した装置が備えるRFIDユニットを利用することができる。
それは、識別パーツ２１内の貯蔵容器２０のID情報、測定した廃棄食用油品質に関する情報、日付、回収場所、廃棄食用油の提供者番号或いは会員番号などの識別情報を記録することができる。
さらにそれは、無線LAN、及びGPSにより構成する綿密な通信網により、リモートエンドのモニターセンサーに伝送することができ、これにより回収した廃棄食用油に対して、管理を行うことができる。
【００２０】
本発明廃棄物管理方法プロセスの第二実施例のフローチャートである図３に示すように、本実施例中のステップ４０a〜４３aは、図２に示すステップ４０〜４３に、基本的に類似している。
両者の差異は、本実施例中では、廃棄食用油の品質を測定後、さらにステップ４４aの取引プロセスを行う点である。
いわゆる取引プロセスとは、回収業者が、回収した廃棄食用油の品質と容量に基づき、対応する価値を廃油提供者に提供するものである。
廃棄食用油の品質を測定した後、廃油回収業者は、廃油提供者が選択可能な多様な回収取引方式を提供することができる。
【００２１】
第一実施例中では、廃油回収業者は、完全に現金、或いは振込みの方式により、廃棄食用油の品質に応じて、一定の現金を提供者に支払い廃油を購入する。
廃油を購入する方式は、貯蔵容器２０内の廃油を取り出し、或いは廃油を含む貯蔵容器２０全体を、回収車などの回収運搬車に回収する方式で、行うことができる。
貯蔵容器２０上には、識別パーツ２１を備えるため、貯蔵容器２０を廃油処理工場に運搬した際には、識別パーツ２１内の情報を読み取り、廃油品質、及び廃油提供者に対して管理を行うことができる。
【００２２】
第二実施例中では、廃油回収業者は、電子マネーチャージの方式により、金額をICカード、或いは会員カード中に直接チャージすることができる。
使用者は、ICカード、或いは会員カード内に保存する金額を利用し、回収業者が直接経営する、或いは提携する商店(百貨店、コンビニ、レストラン、或いはガソリンスタンド)において、チャージされている電子マネーを使って買い物することができる。
【００２３】
第三実施例中では、廃油回収業者は、等価の民生用品を、廃油提供者に提供し、廃油と交換する形式とすることができる。
民生用品は、新鮮なオイル製品(動植物油、石油化学オイル製品、鉱物油、工業用オイル、バイオディーゼルオイル、バイオガソリンなど)、トイレットペーパー、米、砂糖、せっけん、塩、家電、３Ｃ（Computer，Communication，Consumer Electronics）電子製品、服飾アクセサリーなどの民生用品を含むが、これに限定するものではない。
廃油回収業者は、民生用品を大量に調達することで、価格は市価より安くなるため、廃油提供者は、経済効率がより高い方式で、民生用品と交換することができる。
【００２４】
別の取引方式は、廃油提供者が、廃油回収業者に廃油の加工を依頼するものである。
すなわち、廃油回収業者は、廃油を新鮮なオイル製品(動植物油、石油化学オイル製品、鉱物油、工業用オイル、バイオディーゼルオイル、バイオガソリンなど)に転換する。
廃油提供者が、この取引方式を選択するなら、回収業者は、廃油回収装置内に予め保存する再生オイル製品、或いは新鮮なオイル製品を、廃油提供者に直接提供することができる。
この場合には、廃油提供者から、加工費用を徴収する。
【００２５】
第四実施例では、廃油提供者(飲食店、ファストフード店、工場、オートバイ/自動車修理工場など)が、廃油を廃油回収者に、販売、交換、或いは加工依頼し、取引を完成した後に、廃油提供者が、その業務を正常に運営(飲食店で食物を揚げる、或いはオートバイ/自動車のオイルを交換するなど)するため、新鮮なオイル製品を急いで必要な場合には、廃油回収者は、廃油提供者からすでに提供された油の量に基づき、廃油提供者が必要とする新鮮なオイル製品の量を推算し、直ちに、新鮮なオイル製品を、廃油提供者に提供し、取引を完成する。
本実施例でいう新鮮なオイル製品とは、第一次加工により形成された動植物油、石油化学オイル製品、鉱物油、工業用オイル、バイオディーゼルオイル、バイオガソリン、或いは再生加工により生産された動植物油、石油化学オイル製品、鉱物油、工業用オイル、バイオディーゼルオイル、バイオガソリンであるが、これに限定するものではない。
【００２６】
取引完成後は、ステップ４５aを行い、識別情報を、リモートエンドのコントロールセンターに伝送する。
ステップ４５a中の識別情報は、図２に示すステップ４４の識別情報と基本的に類似している。
両者の差異は、ステップ４５a中の識別情報がさらに、取引方式、取引金額などに関連する情報を含む点である。
伝送の方式は、図２の記載と相同であるため、再記載を行わない。
【００２７】
本発明廃棄物管理システムの第一実施例の表示図である図４に示すように、廃棄物管理システム３は、少なくとも１個の廃棄物貯蔵装置２を備える。
廃棄物貯蔵装置２は、貯蔵容器２０を備える。
貯蔵容器２０上には、識別パーツ２１を備える。
本実施例中では、識別パーツ２１は、RFIDなどの電子タグである。
【００２８】
廃棄物管理システム３はさらに、検査装置３０、識別情報発生装置３１を備える。
検査装置３０は、重量センサー３００、体積センサー、酸価センサー、ヨウ素価センサー、水分センサーを統合した測定ユニット３０１を備え、貯蔵容器２０内の廃棄物２００(廃棄食用油)に対して、測定を行い、廃棄食用湯の品質情報を得る。
識別情報発生装置３１は、本実施例中では、書込/読取機能を備えた書込/読取装置で、検査装置３０と電気的に連接し、検査装置３０が感知した廃棄食用油に関する品質情報を受信する。
識別情報発生装置３１は、識別パーツ２１内に保存する保存に関する情報を読み取ることができ、さらに検査により得られた測定した廃棄食用油品質に関する情報、日付、回収場所、廃棄食用油の提供者番号或いは会員番号などの情報を、識別パーツ２１内に書き込むことができる。
【００２９】
また、図５に示すように、検査装置３０aは、携帯式検査装置で、貯蔵容器２０内の液体容積を測定し、有線、或いは無線の方式で、測定情報を、識別情報発生装置３１に伝送する。
検査装置３０a上には、表示ユニット３００a、及び測定電極と参考電極により構成する感知キャパシター３０１aを備え、これにより貯蔵容器２０内の液体の高度を測定し、換算することで、廃棄食用油の容積と重量を求めることができる。
【００３０】
識別情報発生装置３１上にはさらに、無線受信/発信ユニット３１０を備える。
無線受信/発信ユニット３１０は、書込/読取装置が読み取った識別パーツ２１のID情報、及び検査装置３０が測定した、廃棄食用油の情報、及び廃棄食用油を受け取った日付、回収場所、廃棄食用油の提供者番号或いは会員番号、取引方式或いは取引金額などの関連情報を、無線受信/発信ユニット３１０によりリモートエンドのコントロールセンターのデータサーバー６に伝送する。
【００３１】
これにより、廃棄物回収工場は、コントロールセンターのデータサーバー６が受け取った情報を利用し、物流、金の流れ、情報の流れを効果的に掌握し、管理作業を行うことができる。
物流とは、各廃棄物貯蔵容器２０内に貯蔵する廃棄物２００の出所追跡と品質検査数値、廃棄物２００が廃棄物提供者から地域の営業所を経て工場に至るまでの、物流管理をいう。
金の流れとは、廃棄物２００の販売、交換、或いは新鮮なオイル製品売買などの取引行為をいう。
情報の流れとは、廃棄物再生工場、廃棄物回収業者の各地域営業所、銀行、廃棄物２００、及び廃棄物提供業者の情報の状態をいう。
識別情報発生装置３１はさらに、PDA、携帯電話端末、ノート型コンピューターを統合した多機能書込/読取装置とすることができる。
【００３２】
本発明廃棄物管理方法プロセスの第三実施例のフローチャートである図６に示すように、本実施例中の方法５のステップ５０〜５２は、図２に示すステップ４０〜４２に、基本的に類似しているため、この部分に関しては再記述を行わない。
本実施例と図２に示す実施例との差異は、本実施例中の識別パーツ２１は、廃棄食用油の品質を測定後に初めて形成する点である。
すなわち、ステップ５２において、識別情報を構築後、ステップ５３で、識別情報を備える識別パーツ２１を形成する。
ステップ５３の識別パーツ２１は、情報タグで、印刷方式で形成することができる。
識別パーツ２１は、バーコード(一次元、或いは二次元バーコード)、他の文字情報を記載したタグなどであるが、これに限定するものではない。
また識別パーツ２１は、使用者が情報を書込み可能な書込みタグとすることもできる。
識別パーツ２１を形成後、ステップ５４により、識別パーツ２１を貯蔵容器２０上に設置する。
最後にステップ５５を行い、識別情報を、リモートエンドのコントロールセンターに伝送する。
ステップ５５の特徴は、図６に示すステップ４４の通りであるため、ここでは再記述を行わない。
【００３３】
本発明廃棄物管理方法プロセスの第四実施例のフローチャートである図７に示すように、本実施例中のステップ５０a〜５４aは、図６に示すステップ５０〜５４に、基本的に類似している。
両者の差異は、本実施例中では、廃棄食用油の品質を測定後に、さらにステップ５５aを行い、取引プロセスを行う点である。
さらにステップ５６aを行い、識別情報を、リモートエンドのコントロールセンターに伝送する。
ステップ５５aと５６aは、図３に示すステップ４４５と４５に類似しているため、ここでは再記述を行わない。
本実施例の識別パーツ２１は、後に貯蔵容器２０上に貼り付けるため、回収時に、廃油を含む貯蔵容器２０全体をそのまま回収車などの運搬車に運ぶ際に応用される。
貯蔵容器２０をそのまま回収するとすれば、貯蔵容器２０上には必ず識別パーツ２１が必要であるため、本実施例の方式により、貯蔵容器２０を廃油処理工場に運びこむ時に便利である。
すなわち、コントロールセンター、或いは廃油処理工場の管理者は、識別パーツ２１内の情報を読み取り、廃油の品質と廃油体強者に対して管理、コントロールを行うことができる。
【００３４】
本発明廃棄物管理システムの第二実施例の表示図である図８に示すように、廃棄物管理システム３は、少なくとも１個の廃棄物貯蔵装置２を備える。
各廃棄物貯蔵装置２は、貯蔵容器２０を備え、貯蔵容器２０の上には識別パーツ３２１を備える。
廃棄物貯蔵装置２の特徴は、前記の通りであるため、ここでは再記述を行わない。
【００３５】
廃棄物管理システム３はさらに、検査装置３０、識別情報発生装置３２を備える。
検査装置３０の特徴は、前記の通りであるため、ここでは再記述を行わない。
識別情報発生装置３２は、検査装置３０と電気的に連接し、検査装置３０が測定した廃棄食用油品質に関する情報を受け取り、これにより識別パーツ３２１を形成する。
本実施例中では、識別パーツ３２１は、情報タグである。
情報タグは、バーコード、或いは書込み可能なタグ、或いは上面に文字情報を直接記載するタグである。
【００３６】
識別パーツ３２１を形成後、識別パーツ３２１を、貯蔵容器２０上に貼ることができる。
この他、識別情報発生装置３２は、読取ユニット３２２を備える。
これにより、識別情報発生装置３２は、識別パーツ３２１内に保存する保存に関する情報を読み取ることができ、また測定した廃棄食用油品質に関する情報、日付、回収場所、廃棄食用油の提供者番号或いは会員番号などの識別情報に関する情報タグを形成することができる。
【００３７】
識別情報発声装置３２上にはさらに、無線受信/発信ユニット３２０を備える。
無線受信/発信ユニット３２０は、検査装置３０が測定した廃棄食用油品質に関する品質情報、及び廃棄食用油を回収した日付、回収場所、廃棄食用油の提供者番号或いは会員番号、取引方式或いは取引の金額などの関連情報を、リモートエンドのコントロールセンターのデータサーバー６に伝送することができる。
これにより、物流、金の流れ、情報の流れの管理を行うことができる。
【００３８】
上記の本発明名称と内容は、本発明技術内容の説明に用いたのみで、本発明を限定するものではない。
例えば、本発明のエリアサーバーと中央管理装置は、必要に応じて、一体に統合し、または分離方式にすることができ、営業エリアの範囲の広さと必要に応じて決定すれば良い。
いずれにしろ、本発明の精神に基づく等価応用或いは部品（構造）の転換、置換、数量の増減はすべて、本発明の保護範囲に含むものとする。
【産業上の利用可能性】
【００３９】
本発明は特許の要件である新規性を備え、従来の同類製品に比べ十分な進歩を有し、実用性が高く、社会のニーズに合致しており、産業上の利用価値は非常に大きい。
【符号の説明】
【００４０】
２  廃棄物貯蔵装置
２０  貯蔵容器
２００  廃棄物
２１  識別パーツ
３  廃棄物管理システム
３０、３０a  検査装置
３００  重量センサー
３０１  測定ユニット
３００a  表示ユニット
３０１a  感知キャパシター
３１、３２  識別情報発生装置
３１０、３２０  無線受信/発信ユニット
３２１  識別パーツ
３２２  読取ユニット
４  廃棄物管理方法
４０〜４４  ステップ
４０a〜４５a  ステップ
５  廃棄物管理方法
５０〜５５  ステップ
５０a〜５６a  ステップ
６  データサーバー
【図１】
2011123886.tif 000003
【図２】
2011123886.tif 000004
【図３】
2011123886.tif 000005
【図４】
2011123886.tif 000006
【図５】
2011123886.tif 000007
【図６】
2011123886.tif 000008
【図７】
2011123886.tif 000009
【図８】
2011123886.tif 000010